(57)【要約】【課題】  嵌脱が容易であると共に、構造が簡素で、装身具と比較しても目立ち過ぎることがない装身具の留め具を提供することにある。【解決手段】  留め具３０は屈曲する線材からなり、フック部３２と、このフック部開口を塞ぐ閉塞部３４を備えている。フック部３２及び閉塞部３４の先端には、外方湾曲部３２ａと内方湾曲部３４ａがそれぞれ設けられている。留め具３０では、環状部材４０の環の中に外方湾曲部３２ａを通して環状部材４０をフック部３２に引っ掛け、そのまま環状部材３２をスライドさせ、閉塞部３４を押し退けてフック部３２に係合させる。環状部材４０をフック部３２に沿って先端方向にスライドさせると、環状部材４０は内方湾曲部３４ａに沿って閉塞部３４を押し退けてフック部３２から外れる。【選択図】  図１
0003138571.tif 000002
【実用新案登録請求の範囲】
【請求項１】
装身具の一端に設けられた環状部材の掛止が可能なフック部と、
該フック部の端部付近に弾性をもって内接して前記フック部の開口を塞ぐ閉塞部と、を備え、
前記フック部の先端にフック部外方に湾曲する外方湾曲部を設け、前記閉塞部の先端にフック部内方に湾曲する内方湾曲部を設けたことを特徴とする装身具の留め具。
【請求項２】
前記フック部と閉塞部は、屈曲する線材により一体に形成されていることを特徴とする請求項１記載の装身具の留め具。
【請求項３】
前記外方湾曲部は先端を巻き込むように略渦巻状にカールしていることを特徴とする請求項１又は２記載の装身具の留め具。
【請求項４】
前記線材の屈曲部分には、環状に屈曲する環状部が形成され、該環状部に装身具の他端が取り付けられていることを特徴とする請求項２記載の装身具の留め具。
【請求項５】
前記フック部と閉塞部は、屈曲する板材により一体に形成されていることを特徴とする請求項１記載の装飾具の留め具。
【請求項６】
板状の本体部を備え、前記フック部は前記本体部の一端から突出する第１細板部を屈曲することにより形成され、前記閉塞部は前記本体部の略中央に設けられる第２細板部を屈曲することにより形成されることを特徴とする請求項５記載の装身具の留め具。
【考案の詳細な説明】
【技術分野】
【０００１】
本考案は、ネックレス、ブレスレット、アンクレット等の鎖あるいは帯状をなす装身具の端部を連結する留め具に関するものであり、特に、指先で開閉操作を行うことなく嵌脱することが可能なものに関する。
【背景技術】
【０００２】
従来、ネックレス等の装身具には、図１０に示すように、釣針状の吊部２と、この吊部２に回動自在に取り付けられ且つ一端が吊部２の開口部分を塞ぎ他端が吊部２から外方に突出して指掛部４となる操作杆６と、この操作杆６を付勢するスプリング８とからなる係止金具が取り付けられていた（例えば、特許文献１参照）。この係止金具においては、吊部２からリング状の係止片１０を引っ掛けたり外したりするときに、指掛部４を指先で押して操作杆６を回転させることが必要であった。このため、片方の手の指先で指掛部４を操作しながら他方の手で係止片１０をつまんで掛けたり外さなければならず、極めて嵌脱し難いという問題があった。特に、高齢者が一人で嵌脱することは非常に難しかった。また、吊部２に操作杆６を回動自在に軸着したり、スプリング８を内設しているため、鎖等からなる装身具に比べて厚みがあって大きくなり、係止金具が目立ってしまうという問題もあった。
【０００３】
そこで、図１１に示すように、本体１２にフック１４とその先端に係合するトリガー１６をそれぞれ回動可能に取り付け、そのフック１４とトリガー１６をスプリング１８によってそれぞれ付勢した留め具が提案された（例えば、特許文献２参照）。この留め具におけるフック１４とトリガー１６は、通常、スプリング１８によって互いの先端が係合するように設定されている。この状態において、端環２０をトリガー１６に引っ掛けて引張ると、スプリング１８に抗してトリガー１６が回転し、トリガー１６及びフック１４の先端の間に隙間が発生し、この隙間から端環２０がフック１４内に入って係合する。また、フック１４に引っ掛けた状態で端環２０を引張ると、フック１４が回転し、フック１４及びトリガー１６の先端の間に隙間が発生し、この隙間から端環２０が抜け出して係合が外れる。このように、この留め具においては、指先で操作することなく嵌脱することが可能となっている。しかしながら、端環２０でトリガー１６を押しながら端環２０をずらしてフック１４に引っ掛けたり、端環２０でフック１４を引張りながら端環２０をずらしてフック１４から外すことが必要であり、操作に慣れることが必要であった。また、この留め具においても、本体１２にフック１４やトリガー１６を軸着したり、内部にスプリング１８を設けているため、厚みが増して大きくなり、装身具に比べて留め具が目立ってしまうという問題があった。
【０００４】
また、図１２に示すように、先端にフック２４を有する本体２２に、フック２４の開口を開閉する回動部材２６を軸着し、回動部材２６をフック２４に押し付けるように付勢するスプリング２８を設けた止め金具も提案されている（例えば、特許文献３参照）。この止め金具においては、被連結部材で回動部材２６を押し込むことでフック２４に引っ掛けたり外したりすることができる。しかしながら、この止め金具においても本体２２に回動部材２６を軸着したり、内部にスプリング２８を配置しているため、構造が複雑で厚みが増して大きくなり、この止め金具も装身具より目立ってしまうという問題があった。
【特許文献１】実開平４−８３０１０号公報（図１）
【特許文献２】実用新案登録第３０１４０３３号公報（図１）
【特許文献３】特開２００１−２２４４１２号公報（図１）
【考案の開示】
【考案が解決しようとする課題】
【０００５】
本考案が解決しようとする課題は、上記従来技術の問題点を解決し、嵌脱が容易であると共に、構造が簡素で、装身具と比較しても目立ち過ぎることがない装身具の留め具を提供することにある。
【課題を解決するための手段】
【０００６】
本考案の装身具の留め具は、装身具の一端に設けられた環状部材の掛止が可能なフック部と、該フック部の端部付近に弾性をもって内接して前記フック部の開口を塞ぐ閉塞部と、を備え、前記フック部の先端にフック部外方に湾曲する外方湾曲部を設け、前記閉塞部の先端にフック部内方に湾曲する内方湾曲部を設けたものである。この装身具の留め具における前記フック部と閉塞部は、屈曲する線材により一体に形成されている。また、前記外方湾曲部は、先端を巻き込むように略渦巻状にカールしている。また、前記線材の屈曲部分には、環状に屈曲する環状部が形成され、該環状部に装身具の他端が取り付けられている。また、前記フック部と閉塞部は、屈曲する板材により一体に形成されている。この留め具は、板状の本体部を備え、前記フック部は前記本体部の一端から突出する第１細板部を屈曲することにより形成され、前記閉塞部は前記本体部の略中央に設けられる第２細板部を屈曲することにより形成されている。
【考案の効果】
【０００７】
本考案の装身具の留め具によれば、フック部と閉塞部の先端に相反する方向に湾曲する外方湾曲部と内方湾曲部をそれぞれ設けている。これにより、フック部の外方湾曲部を環の中に通すように環状部材を引っ掛けるとそのままスライドさせると共に内方湾曲部に沿って閉塞部を押し退けてフック部に係合させることができる。また、フック部の形状に沿って環状部材をフック部の先端方向に移動させると、閉塞部をその内方湾曲部に沿って押し退けるようにして環状部材をフック部の先端付近まで移動させて、そのまま取り外すことができる。これにより、極めて簡単かつスムーズに留め具を嵌脱することができる。
【０００８】
また、本考案の留め具におけるフック部と閉塞部は、屈曲する線材又は板材により一体に形成されているので、極めて簡素な構造からなる。このため、部品点数も少なく、製造も容易であり、コストも低く抑えることができる。特に、本考案の留め具は、線材を屈曲させたり板材を屈曲あるいは切り起こしたものであるため、装身具に使用される鎖、装飾部材等に外観が近似している。これにより、留め具が目立つことがなく、装身具のデザインに影響を及ぼすことがない。
【０００９】
また、フック部の外方湾曲部は、その先端を巻き込むように略渦巻状にカールしているので、環状部材に引っ掛かったり、皮膚を傷付けることがなく、スムーズ且つ安全に使用することができる。
【００１０】
また、留め具を形成する線材の屈曲部分には、線材を環状に屈曲させることで形成される環状部を設けている。この環状部には、装身具の端部が取り付けられ、その取り付けの際に、装身具の端部をフック部に係合させてそのまま環状部に引き込むことで取り付けることが可能であり、装身具の端部を簡単に取り付けることができる。
【考案を実施するための最良の形態】
【００１１】
本考案の装身具の留め具は屈曲する線材からなり、環状部材の掛止が可能なフック部と、このフック部開口を弾性をもって塞ぐ閉塞部を備えている。このフック部及び閉塞部の先端には、フック部外方に湾曲する外方湾曲部とフック部内方に湾曲する内方湾曲部がそれぞれ設けられている。この留め具では、環状部材の環の中に外方湾曲部を通すようにして環状部材をフック部に引っ掛けて、そのまま環状部材をスライドさせ、内方湾曲部に沿って閉塞部を押し退けてフック部に係合させる。また、環状部材をフック部に沿って先端方向にスライドさせると、環状部材は内方湾曲部に沿って閉塞部を押し退けてフック部から外れる。このように、本考案の留め具は、極めて簡単に嵌脱することができる。また、この留め具は、線材又は板材で形成されると共に構造が簡素であり、装身具のデザインを損なうことがないものとなっている。
【実施例１】
【００１２】
図１は本考案の実施例１に係る装身具の留め具の構造及び嵌合時の状態を示す側面図、図２は図１に示す留め具の嵌合時の状態を示す斜視図、図３は図１に示す留め具の嵌合後の状態を示す斜視図、図４は図１に示す留め具から環状部材を取り外すときの状態を示す側面図である。３０は留め具であり、金属製の線材を屈曲させることにより形成されている。この留め具３０には、フック部３２、閉塞部３４及び環状部３６が設けられている。
【００１３】
フック部３２は、線材の一端付近を略Ｊ形状に湾曲させることにより形成されている。このフック部３２の先端には、このフック部外方に向かって湾曲する外方湾曲部３２ａが設けられている。この外方湾曲部３２ａは、その先端を巻き込むように略渦巻状にカールしている。このような構成からなるフック部３２には、装身具３８の一端に取り付けられた環状部材４０が掛止される。
【００１４】
閉塞部３４は、線材の他端側に設けられ、フック部３２の開口を塞ぐように形成されている。この閉塞部３４の先端には、フック部内方に向かって湾曲する内方湾曲部３４ａが設けられている。この閉塞部３４は、その材質及び形状によって弾性を有し、内方湾曲部３４ａ付近がフック部３２の外方湾曲部３２ａ付近にフック部内側から弾性をもって当接するように設定されている。
【００１５】
環状部３６は、フック部３２と閉塞部３４を形成するために線材を略二つ折りに屈曲させた屈曲部分を環状に屈曲させることにより形成されている。この環状部３６は、線材を屈曲させて接触させた絞り部３６ａを介してフック部３２につながっているため、装身具３８の他端に設けられた環４２をフック部３２に引っ掛けてそのまま環状部３６内に環４２を引き込んで取り付けることができる。
【００１６】
次に、上記構成からなる留め具３０に環状部材４０を嵌脱するときの状態を説明する。図１及び図２に示すように、留め具３０に環状部材４０を取り付ける場合、環状部材４０の環の中にフック部３２の外方湾曲部３２ａを通すことで環状部材４０をフック部３２の先端に引っ掛ける（図１中、二点鎖線４０Ａの状態）。このときに、フック部３２の外方湾曲部３２ａがフック部外方に大きく湾曲して突出しているため、簡単に環状部材４０を外方湾曲部３２ａに引っ掛けることができる。このように環状部材４０をフック部３２に引っ掛けた後、そのままフック部３２に沿って環状部材４０を図１中右方へスライドさせる。このときに環状部材４０は、その先端で閉塞部３４をその形状に沿って押し退けてフック部３２の奥へ進んで係合する（図１中、二点鎖線４０Ｂの状態及び図３に示す状態）。閉塞部３４はその弾性によりフック部３２に内接しているので、環状部材４０に押されるとフック部内方にたわみ、環状部材４０が通り過ぎると元に戻ってフック部３２の開口を塞ぐ。
【００１７】
一方、上記のように留め具３０に連結された環状部材４０を取り外す場合、図４に示すように、フック部３２の形状に沿って環状部材４０を先端方向に向かってスライドさせる。このときに、閉塞部３４の内方湾曲部３４ａがフック部内方に湾曲しているため、フック部３２と内方湾曲部３４ａとの間に環状部材４０の先端が入るスペースが形成され、ここに環状部材４０の先端が入る。これにより、環状部材４０の先端は内方湾曲部３４ａの形状に沿って閉塞部３４を押し退ける（図４中、二点鎖線４０Ｃの状態）。この結果、環状部材４０は、フック部３２の先端まで移動し、フック部３２から外すことができる（図４中、二点鎖線４０Ｄの状態）。
【００１８】
このように、本実施例における留め具３０は、環状部材４０をフック部３２に沿ってスライドさせるだけで嵌脱することができる。尚、留め具３０と環状部材４０が連結している場合、図３に示すように、通常、環状部材４０は装身具３８によりわずかに引張られているためフック部３２の奥に位置しており、使用者が意識的にフック部３２の先端方向に環状部材４０を移動させなければ外れることはない。仮に、環状部材４０がフック部３２の先端方向に移動しても、閉塞部３４がその弾性によってフック部３２に当接しているので、この閉塞部３４を押し退けるように力を加えなければ、環状部材４０はフック部３２から外れることがない。
【００１９】
また、図４に示すように、線材を屈曲させることにより形成される留め具３０は、鎖等からなる装身具３８に比べて特に目立つこともなく、装身具３８のデザインに調和したものとなる。
【実施例２】
【００２０】
図５は本考案の実施例２に係る装身具の留め具の構造を示す正面側から見た斜視図、図６は図５に示す留め具の構造を背面側から見た斜視図、図７は図５に示す留め具の正面図、図８は図７の横断面図、図９は図５に示す留め具の嵌合後の状態を示す斜視図である。本実施例における留め具５０は、金属製の板材を屈曲させることにより形成されている。この留め具５０には、本体部５６、フック部５２、閉塞部５４が設けられている。
【００２１】
本体部５６は、平面形状が略楕円形の板状をなすものであり、その一方の端部にフック部５２が設けられ、略中央に閉塞部５４が設けられ、更に他方の端部に取付孔５６ａが設けられている。この取付孔５６ａには、装身具３８に設けられた環４２が取り付けられている。
【００２２】
フック部５２は、本体部５６の一方の端部から真直ぐ外方に突出する第１細板部５６ｂを略Ｊ形状又は略Ｕ形状に湾曲させることにより形成されている。このフック部５２の先端には、本体部５６の表面略中央付近に位置すると共に、フック部外方（本体部５６の表面上方）に向かって湾曲する外方湾曲部５２ａが設けられている。
【００２３】
閉塞部５４は、本体部５６の略中央を切り起こすことにより設けられる第２細板部５６ｃを、その先端がフック部５２の先端付近に接触してフック部５２の開口を塞ぐように、本体部５６の表面上方に向かって屈曲することにより形成されている。この閉塞部５４の先端には、フック部内方（本体部５６の裏面方向）に向かって湾曲する内方湾曲部５４ａが設けられている。この閉塞部５４も実施例１における閉塞部３４と同様に、その材質及び形状によって弾性を有し、内方湾曲部５４ａ付近がフック部５２の外方湾曲部５２ａ付近にフック部内側から弾性をもって当接するように設定されている。尚、本実施例における第２細板部５６ｃは、その先端である解放端が第１細板部５６ｂと同方向に設けられており、本体部５６に連続する部分が第１細板部５６ｂから離れるように設定されている。これにより、第１及び第２細板部５６ｂ、５６ｃを屈曲させるときに、本体部５６に作用する力が一部分に集中して変形することを防いでいる。
【００２４】
次に、上記構成からなる留め具５０に環状部材４０を嵌脱するときの状態を説明する。この留め具５０は、基本的に実施例１の留め具３０と同様に嵌脱することができる。即ち、図８及び図９に示すように、留め具５０に環状部材４０を取り付ける場合、環状部材４０の環の中にフック部５２の外方湾曲部５２ａを通すことで環状部材４０をフック部５２の先端に引っ掛け、そのままフック部５２に沿って環状部材４０をスライドさせる。このときに環状部材４０は、閉塞部５４を押し退けてフック部５２の奥へ進んで係合する。環状部材４０に押された閉塞部５４では、内方湾曲部５４ａが撓んで環状部材４０を通過させ、環状部材４０が通り過ぎると弾性によって元に戻ってフック部５２の開口を塞ぐ状態になる。
【００２５】
また、留め具５０に連結された環状部材４０を取り外す場合、フック部５２に沿って環状部材４０を先端方向にスライドさせ、フック部５２と閉塞部５４の内方湾曲部５４ａとの間に形成されるスペースにその先端を入れて、そのまま更にスライドさせる。このときに、環状部材４０はその先端によって閉塞部５４を押し退け、フック部５２の先端まで移動し、フック部５２から外すことができる。
【００２６】
本実施例のように板材で留め具５０を形成すると、プレス加工を施すだけで簡単かつ大量に留め具５０を製造することが可能となる。また、線材で形成した留め具３０に比べて強度も高くなるため、幅が広い鎖や太い鎖等からなる装身具に使用しても変形等が生じることがない。
【図面の簡単な説明】
【００２７】
【図１】本考案の一実施例に係る装身具の留め具の構造及び嵌合時の状態を示す側面図である。
【図２】図１に示す留め具の嵌合時の状態を示す斜視図である。
【図３】図１に示す留め具の嵌合後の状態を示す斜視図である。
【図４】図１に示す留め具から環状部材を取り外すときの状態を示す側面図である。
【図５】本考案の実施例２に係る装身具の留め具の構造を示す正面側から見た斜視図である。
【図６】図５に示す留め具の構造を背面側から見た斜視図である。
【図７】図５に示す留め具の正面図である。
【図８】留め具に環状部材を嵌合する時の図７における横断面図である。
【図９】図５に示す留め具の嵌合後の状態を示す斜視図である。
【図１０】従来の係止金具を示す部分切断側面図である。
【図１１】従来の留め具を示す側面図である。
【図１２】従来の止め金具を示す側面図である。
【符号の説明】
【００２８】
２      吊部
４      指掛部
６      操作杆
８      スプリング
１０    係止片
１２    本体
１４    フック
１６    トリガー
１８    スプリング
２０    端環
２２    本体
２４    フック
２６    回動部材
２８    スプリング
３０    留め具
３２    フック部
３２ａ  外方湾曲部
３４    閉塞部
３４ａ  内方湾曲部
３６    環状部
３８    装身具
４０    環状部材
４２    環
５０    留め具
５２    フック部
５２ａ  外方湾曲部
５４    閉塞部
５４ａ  内方湾曲部
５６    本体部
５６ａ  取付孔
５６ｂ  第１細板部
５６ｃ  第２細板部
【図１】
0003138571.tif 000003
【図２】
0003138571.tif 000004
【図３】
0003138571.tif 000005
【図４】
0003138571.tif 000006
【図５】
0003138571.tif 000007
【図６】
0003138571.tif 000008
【図７】
0003138571.tif 000009
【図８】
0003138571.tif 000010
【図９】
0003138571.tif 000011
【図１０】
0003138571.tif 000012
【図１１】
0003138571.tif 000013
【図１２】
0003138571.tif 000014